(57)【要約】【課題】接合レンズのレンズ面の周りに像側から入射した光の特定方向への反射を抑制することのできるレンズユニットおよび撮像装置を提供すること。【解決手段】レンズユニットの接合レンズ６０に用いた第１レンズ６１および第２レンズ６２において、レンズ面６１２、６２１とフランジ面（第１フランジ面６１６および第２フランジ面６２６）との境界部分では、第１レンズ６１に円環状に形成された凸部６１７が第２レンズ６２に円環状に形成された凹部６２７内に嵌って接着剤６５によって凹部６２７の内面と接合されている。レンズ面６１２、６２１の周りで接着剤６５が途切れて空気層が存在している場合に像側Ｌ２からレンズ面６１２、６２１の周りに光が入射したときでも、光は、凸部６１７（凹部６２７）が形成されている部分では像側Ｌ２に拡散するように反射する。【選択図】図３
2018097019.tif 000002
【特許請求の範囲】
【請求項１】
複数のレンズと、前記複数のレンズを保持する筒状のホルダと、を有するレンズユニットであって、
前記複数のレンズには、第１レンズと、前記第１レンズに対して像側に配置された第２レンズとが接着剤によって接合された接合レンズが含まれており、
前記第１レンズは、前記第２レンズ側に位置する第１レンズ面と、前記第１レンズ面を外周側で囲む第１フランジ面と、を備え、
前記第２レンズは、前記第１レンズ側に位置する第２レンズ面と、前記第２レンズ面を外周側で囲む第２フランジ面と、を備え、
前記接着剤は、前記第１レンズ面と前記第２レンズ面との間から前記第１レンズ面と前記第１フランジ面との第１境界部分、および前記第２レンズ面と前記第２フランジ面との第２境界部分を越えて前記第１フランジ面と前記第２フランジ面との間まで設けられ、
前記第２境界部分には、像側に向けて凹んだ凹部、および物体側に向かって突出した凸部のいずれか一方が、前記第２境界部分に沿って延在するように設けられていることを特徴とするレンズユニット。
【請求項２】
前記第２レンズに形成された前記凹部の底部または前記凸部の先端部は、曲面であることを特徴とする請求項１に記載のレンズユニット。
【請求項３】
前記接合レンズは、前記複数のレンズのうち、最も像側のレンズであることを特徴とする請求項１または２に記載のレンズユニット。
【請求項４】
前記第２レンズ面は、前記凹部から連続した凸状のレンズ面、または前記凸部から連続した凹状のレンズ面であることを特徴とする請求項１から３までの何れか一項に記載のレンズユニット。
【請求項５】
前記第２レンズは、プラスチックレンズであることを特徴とする請求項１から４までの何れか一項に記載のレンズユニット。
【請求項６】
前記第２レンズに形成された前記凹部または前記凸部は、少なくとも一部が前記接合レンズより像側に形成された前記ホルダの像側開口部の縁より径方向内側に位置することを特徴とする請求項１から５までの何れか一項に記載のレンズユニット。
【請求項７】
前記第１境界部分には、前記第２レンズに形成された前記凹部が嵌る凸部、または前記第２レンズに形成された前記凸部に嵌る凹部が前記第１境界部分に沿って延在するように設けられていることを特徴とする請求項１から６までの何れか一項に記載のレンズユニット。
【請求項８】
前記第１レンズ面と前記第２レンズ面との間隔をＧａとし、
前記凸部の先端部と前記凹部の底部との間隔をＧｂとし、
前記第１フランジ面において前記凸部および前記凹部に径方向外側で隣接する部分と前記第２フランジ面において前記凸部および前記凹部に径方向外側で隣接する部分との間隔をＧｃとしたとき、
間隔Ｇａ、Ｇｂ、Ｇｃは、以下の関係
Ｇａ＜Ｇｂ＜Ｇｃ
を満たしていることを特徴とする請求項７に記載のレンズユニット。
【請求項９】
前記第１フランジ面および前記第２フランジ面のいずれか一方側のフランジ面には、前記第２レンズに形成された前記凹部または前記凸部より径方向外側で他方側のフランジ面
とは反対側に向けて凹んだ接着剤溜まり部が設けられていることを特徴とする請求項１から８までの何れか一項に記載のレンズユニット。
【請求項１０】
前記一方側のフランジ面には、前記第１レンズに形成された前記凸部または前記凹部より径方向外側、かつ、前記接着剤溜まり部より径方向内側に光軸に対して交差する平面部が形成されていることを特徴とする請求項９に記載のレンズユニット。
【請求項１１】
前記一方側のフランジ面および前記他方側のフランジ面には、前記接着剤溜まり部より径方向外側で、光軸に対して交差する平面同士が接する当接部が設けられていることを特徴とする請求項９または１０に記載のレンズユニット。
【請求項１２】
請求項１から１１までの何れか一項に記載のレンズユニットを備えた撮像装置であって、
前記複数のレンズに対して像側に配置された透光性板状部材と、
前記透光性板状部材に対して像側に配置された撮像素子と、
を有することを特徴とする撮像装置。
【発明の詳細な説明】
【技術分野】
【０００１】
本発明は、複数のレンズが筒状のホルダに保持されたレンズユニット、および撮像装置に関するものである。
【背景技術】
【０００２】
複数のレンズが筒状のホルダに保持されたレンズユニットでは、収差を低減することを目的に接合レンズを用いられることがある。また、レンズユニットを用いて撮像装置を構成する場合、ホルダの像側の端部に赤外線フィルタ等の透光性板状部材が配置される。接合レンズを製造するには、２つのレンズの各々にレンズ面を囲むフランジ面を設けておき、レンズ面同士およびフランジ面同士を接着剤によって接合する。その際、レンズ面の周りでフランジ面同士が軸に対して交差する平面部のみで接していると、接着剤が外周側に大量に流出することから、フランジ面の平面より径方向外側に凹状の接着剤溜まり部が設けられることが提案されている（特許文献１参照）。
【先行技術文献】
【特許文献】
【０００３】
【特許文献１】特開２０１４−１１９７０７号公報
【発明の概要】
【発明が解決しようとする課題】
【０００４】
しかしながら、接合レンズにおいてレンズ面の周りでフランジ面同士が光軸に対して交差する平面部で接している場合に、平面部で接着剤が途切れて空気が介在すると、像側の透光性板状部材等で物体側に向けて反射した光が平面部の界面で像側の特定方向に向けて反射してしまい、ゴーストが発生しやすいという問題点がある。かかる問題は、特許文献１に記載の構成では解消することが困難である。
【０００５】
以上の問題点に鑑みて、本発明の課題は、接合レンズのレンズ面の周りに像側から入射した光の特定方向への反射を抑制することのできるレンズユニットおよび撮像装置を提供することにある。
【課題を解決するための手段】
【０００６】
上記課題を解決するために、本発明は、複数のレンズと、前記複数のレンズを保持する筒状のホルダと、を有するレンズユニットであって、前記複数のレンズには、第１レンズと、前記第１レンズに対して像側に配置された第２レンズとが接着剤によって接合された接合レンズが含まれており、前記第１レンズは、前記第２レンズ側に位置する第１レンズ面と、前記第１レンズ面を外周側で囲む第１フランジ面と、を備え、前記第２レンズは、前記第１レンズ側に位置する第２レンズ面と、前記第２レンズ面を外周側で囲む第２フランジ面と、を備え、前記接着剤は、前記第１レンズ面と前記第２レンズ面との間から前記第１レンズ面と前記第１フランジ面との第１境界部分、および前記第２レンズ面と前記第２フランジ面との第２境界部分を越えて前記第１フランジ面と前記第２フランジ面との間まで設けられ、前記第２境界部分には、像側に向けて凹んだ凹部、および物体側に向かって突出した凸部のいずれか一方が、前記第２境界部分に沿って延在するように設けられていることを特徴とする。
【０００７】
本発明において、第２レンズの第２レンズ面と第２フランジ面との境界部分（第２境界部分）では、第２レンズに形成された凹部または凸部が接着剤によって第１レンズに接合されているため、第２レンズの第２レンズ面と第２フランジ面との境界部分には、光軸に
対して交差する平面部が存在しない。このため、第２レンズ面の周りで接着剤が途切れて空気層が存在している場合に第２レンズ面の周りに像側から光が入射したときでも、光は凹部または凸部が形成されている部分に入射する。従って、第２レンズ面の周りに像側から光が入射した場合でも、光は凹部または凸部によって拡散するように反射するので、特定方向への反射を抑制することができる。それ故、接合レンズにおいてレンズ面の周り（第１レンズ面および第２レンズ面の周り）での反射に起因するゴースト等の発生を抑制することができる。
【０００８】
本発明において、前記第２レンズに形成された前記凹部の底部または前記凸部の先端部は、曲面である態様を採用することができる。かかる態様によれば、凹部の底部や凸部の先端部に空気層が存在した場合でも、凹部の底部や凸部の先端部では拡散するような反射が発生するので、ゴースト等の発生を抑制することができる。
【０００９】
本発明において、前記接合レンズは、前記複数のレンズのうち、最も像側のレンズである態様を採用することができる。かかる態様によれば、ホルダの像側の端部に赤外線フィルタ等の透光性板状部材を配置した場合に、透光性板状部材で物体側に向けて反射した光が接合レンズのレンズ面の周りに入射した場合でも、レンズ面の周りでは拡散するような反射が発生する。従って、接合レンズのレンズ面の周りでの反射に起因するゴースト等の発生を抑制することができる。
【００１０】
本発明において、前記第２レンズ面は、前記凹部から連続した凸状のレンズ面、または前記凸部から連続した凹状のレンズ面である態様を採用することができる。かかる態様によれば、第２レンズの形状を簡素化することができるので、第２レンズを精度よく制作しやすい。
【００１１】
本発明において、前記第２レンズは、プラスチックレンズである態様を採用することができる。かかる態様によれば、第２レンズの成形時に凹部または凸部を形成すればよいので、ガラスレンズに凹部または凸部を設ける場合と比較して、第２レンズに凹部または凸部を設けやすい。
【００１２】
本発明において、前記第２レンズに形成された前記凹部または前記凸部は、少なくとも一部が前記接合レンズより像側に形成された前記ホルダの像側開口部の縁より径方向内側に位置する態様を採用することができる。かかる態様によれば、第２レンズ面が余裕をもって像側開口部の内側に位置するので、光の利用効率を高めることができる。
【００１３】
本発明において、前記第１境界部分には、前記第２レンズに形成された前記凹部が嵌る凸部、または前記第２レンズに形成された前記凸部に嵌る凹部が前記第１境界部分に沿って延在するように設けられている態様を採用することができる。かかる態様によれば、第１レンズと第２レンズとを接合する際、第１レンズの第１境界部分や第２レンズの第２境界部分に空気層が残りにくい。従って、接合レンズのレンズ面の周りでの反射に起因するゴースト等の発生を抑制することができる。
【００１４】
本発明において、前記第１レンズ面と前記第２レンズ面との間隔をＧａとし、前記凸部の先端部と前記凹部の底部との間隔をＧｂとし、前記第１フランジ面において前記凸部および前記凹部に径方向外側で隣接する部分と前記第２フランジ面において前記凸部および前記凹部に径方向外側で隣接する部分との間隔をＧｃとしたとき、間隔Ｇａ、Ｇｂ、Ｇｃは、以下の関係
Ｇａ＜Ｇｂ＜Ｇｃ
を満たしている態様を採用することができる。かかる態様によれば、割型で第１レンズの第２レンズ側の面や第２レンズの第１レンズ側の面を形成する際に割面にバリが発生した
場合でも、第１レンズと第２レンズとを適正に接合することができる。
【００１５】
本発明において、前記第１フランジ面および前記第２フランジ面のいずれか一方側のフランジ面には、前記第２レンズに形成された前記凹部または前記凸部より径方向外側で他方側のフランジ面とは反対側に向けて凹んだ接着剤溜まり部が設けられている態様を採用することができる。かかる態様によれば、接着剤が第１レンズと第２レンズとの間から径方向外側に接着剤が大量に流出することを抑制することができる。従って、第１レンズと第２レンズとの間で接着剤が途切れるという事態が発生しにくい。
【００１６】
本発明において、前記一方側のフランジ面には、前記第１レンズに形成された前記凸部または前記凹部より径方向外側、かつ、前記接着剤溜まり部より径方向内側に光軸に対して交差する平面部が形成されている態様を採用することができる。かかる態様によれば、接着剤が硬化する際に収縮して、凹部または凸部が形成されている領域から接着剤溜まり部に向けて接着剤が引き寄せられても、接着剤が途切れにくい。従って、接合レンズのレンズ面の周りに接着剤の途切れが発生しにくい。
【００１７】
本発明において、前記一方側のフランジ面および前記他方側のフランジ面には、前記接着剤溜まり部より径方向外側で、光軸に対して交差する平面同士が接する当接部が設けられている態様を採用することができる。かかる態様によれば、第１レンズと第２レンズとを適正に接合することができる。
【００１８】
本発明に係るレンズユニットが撮像装置に用いられる場合、撮像装置には、前記複数のレンズに対して像側に配置された透光性板状部材と、前記透光性板状部材に対して像側に配置された撮像素子と、が設けられる。
【発明の効果】
【００１９】
本発明において、第２レンズの第２レンズ面と第２フランジ面との境界部分（第２境界部分）では、第２レンズに形成された凹部または凸部が接着剤によって第１レンズに接合されているため、第２レンズの第２レンズ面と第２フランジ面との境界部分には、光軸に対して交差する平面部が存在しない。このため、第２レンズ面の周りで接着剤が途切れて空気層が存在している場合に第２レンズ面の周りに像側から光が入射したときでも、光は凹部または凸部が形成されている部分に入射する。従って、第２レンズ面の周りに像側から光が入射した場合でも、光は凹部または凸部によって拡散するように反射するので、特定方向への反射を抑制することができる。それ故、接合レンズにおいてレンズ面の周り（第１レンズ面および第２レンズ面の周り）での反射に起因するゴースト等の発生を抑制することができる。
【図面の簡単な説明】
【００２０】
【図１】本発明を適用したレンズユニットおよび撮像装置の断面図である。
【図２】図１に示すレンズユニットの接合レンズ等を拡大して示す断面図である。
【図３】図２に示す接合レンズの端部等を拡大して示す断面図である。
【図４】図２に示す接合レンズに用いた第１レンズの製造方法を示す説明図である。
【発明を実施するための形態】
【００２１】
以下、本発明の実施の形態を説明する。本発明において、接合レンズ６０を構成する第１レンズ６１および第２レンズ６２のうち、像側Ｌ２に位置する第２レンズ６２において物体側Ｌ１のレンズ面６２１（第２レンズ面）と第２フランジ面６２６との境界部分（第２境界部分６２３）に凹部または凸部が形成される。以下に説明する実施の形態では、レンズ面６２１と第２フランジ面６２６との第２境界部分６２３に凹部６２７が形成される場合を中心に説明し、凸部が形成されている態様について、他の実施の形態で説明する。
【００２２】
（レンズユニットの構成）
図１は、本発明を適用したレンズユニットおよび撮像装置の断面図である。図１に示すように、本形態のレンズユニット１０は、光軸Ｌに沿って配置された複数のレンズ１、２、３、４、５、６と、複数のレンズ１、２、３、４、５、６を保持するホルダ８とを有している。複数のレンズ１、２、３、４、５、６のうち、最も像側Ｌ２のレンズ６は、接合レンズ６０からなる。ホルダ８の内側において、レンズ４とレンズ５との間には絞り５０が配置されている。レンズ４は、筒状部材４０に保持された状態でホルダ８の内側に配置されている。かかるレンズユニット１０を撮像装置１００に用いる際、複数のレンズ１、２、３、４、５、６に対して像側Ｌ２に赤外線フィルタ等の透光性板状部材９が配置され、透光性板状部材９に対して像側Ｌ２に撮像素子１１０が配置される。透光性板状部材９は、ホルダ８の像側端部８８に固定されている。本形態では、最も物体側Ｌ１に位置するレンズ１は、ホルダ８の物体側開口部８ａを塞ぐように配置され、最も像側Ｌ２に位置する透光性板状部材９は、ホルダ８の像側開口部８ｂを塞ぐように配置されている。かかるレンズユニット１０において、複数のレンズ１、２、３、４、５、６は、画角が１１０°以上の広角レンズを構成している。
【００２３】
本形態において、レンズ１は、物体側Ｌ１のレンズ面１１が凸状の曲面からなり、像側Ｌ２のレンズ面１２が凹状の曲面からなる。レンズ２は、物体側Ｌ１のレンズ面２１が凸状の曲面からなり、像側Ｌ２のレンズ面２２が凹状の曲面からなる。レンズ３は、物体側Ｌ１のレンズ面３１が凹状の曲面からなり、像側Ｌ２のレンズ面３２が凸状の曲面からなる。レンズ４は、物体側Ｌ１のレンズ面４１および像側Ｌ２のレンズ面４２が凸状の曲面からなる。レンズ５は、物体側Ｌ１のレンズ面５１および像側Ｌ２のレンズ面５２が凸状の曲面からなる。
【００２４】
（接合レンズ６０の構成）
図２は、図１に示すレンズユニット１０の接合レンズ６０等を拡大して示す断面図である。図２に示すように、レンズ６は、正のパワーをもつ接合レンズ６０からなる。接合レンズ６０は、第１レンズ６１と、第１レンズ６１に対して像側Ｌ２に配置された第２レンズ６２と、第１レンズ６１と第２レンズ６２とを接合させる接着剤６５とを備えている。本形態において、接着剤６５は、ＵＶ硬化型接着剤である。接着剤６５は、硬化後も弾性を有する材質であることが好ましい。
【００２５】
第１レンズ６１は、第２レンズ６２とは反対側（物体側Ｌ１）に位置するレンズ面６１１と、第２レンズ６２側（像側Ｌ２）に位置するレンズ面６１２（第１レンズ面）と、レンズ面６１１およびレンズ面６１２を外周側で囲む第１フランジ部６１５とを備えている。従って、第１レンズ６１は、レンズ面６１２を外周側で囲む第１フランジ面６１６を備えている。レンズ面６１１は、凹状の曲面からなり、レンズ面６１２は、凹状の曲面からなる。第２レンズ６２は、第１レンズ６１とは反対側（像側Ｌ２）に位置するレンズ面６２２と、第１レンズ６１側（物体側Ｌ１）に位置するレンズ面６２１（第２レンズ面）と、レンズ面６２１およびレンズ面６２２を外周側で囲む第２フランジ部６２５とを備えている。従って、第２レンズ６２は、レンズ面６２１を外周側で囲む第２フランジ面６２６を備えている。レンズ面６２１は、凸状の曲面からなる。レンズ面６２２は、凸状の曲面からなる。レンズ面６２１は、第１レンズ６１のレンズ面６１２と曲率半径等が等しい。本形態において、レンズ面６１１、レンズ面６１２（レンズ面６２１）、およびレンズ面６２２はいずれも非球面である。また、第１レンズ６１および第２レンズ６２はいずれもプラスチックレンズからなる。
【００２６】
かかる第１レンズ６１および第２レンズ６２を接合するにあたって、接着剤６５は、レンズ面６１２とレンズ面６２１との間、および第１フランジ面６１６と第２フランジ面６
２６との間を含む第１レンズ６１と第２レンズ６２との間の全体に設けられている。従って、接着剤６５は、レンズ面６１２とレンズ面６２１との間からレンズ面６１２と第１フランジ面６１６との境界部分（第１境界部分６１３）、およびレンズ面６２１と第２フランジ面６２６との境界部分（第２境界部分６２３）を越えて第１フランジ面６１６と第２フランジ面６２６との間まで設けられている。
【００２７】
本形態において、第１レンズ６１は第２レンズ６２より外径が大である。このため、第１フランジ部６１５の外周部分は、第２フランジ部６２５より径方向外側に張り出している。一方、ホルダ８では、第１フランジ部６１５において第２フランジ部６２５より径方向外側に張り出した外周部分を像側Ｌ２で支持する段部８６が形成されている。また、ホルダ８には、段部８６より像側Ｌ２に円環状の端板部８７が径方向内側に突出している。ここで、端板部８７の中央部分には、像側開口部８ｂが形成されており、端板部８７の像側Ｌ２の端面に透光性板状部材９が固定されている。像側開口部８ｂは、物体側Ｌ１に向けて縮径しており、最も物体側Ｌ１に位置する部分が最小開口部分８ｃとなっている。
【００２８】
（接合レンズ６０の詳細構成）
図３は、図２に示す接合レンズ６０の端部等を拡大して示す断面図である。図４は、図２に示す接合レンズ６０に用いた第１レンズ６１の製造方法を示す説明図である。図３に示すように、第１レンズ６１において、第１フランジ部６１５は、レンズ面６１２を外周側で囲む第１フランジ面６１６を像側Ｌ２に備えている。第２レンズ６２において、第２フランジ部６２５は、レンズ面６２１を外周側で囲む第２フランジ面６２６を物体側Ｌ１に備えている。
【００２９】
本形態において、第２レンズ６２の第２フランジ面６２６のレンズ面６２１との境第２境界部分６２３には、第１レンズ６１とは反対側に向けて凹んだ凹部６２７が第２境界部分６２３に沿って円環状に延在している。これに対して、第１レンズ６１の第１フランジ面６１６のレンズ面６１２との第１境界部分６１３には、第２レンズ６２側に向けて突出した凸部６１７が第１境界部分６１３に沿って円環状に延在している。従って、第１レンズ６１の凸部６１７は、第２レンズ６２の凹部６２７の内側に嵌って接着剤６５によって凹部６２７の内面と接合されている。
【００３０】
凹部６２７は、断面円弧状である。従って、凹部６２７の底部６２７ａは凹曲面であり、凹部６２７は、底部６２７ａから開口縁に向かって拡径している。凸部６１７も、凹部６２７と同様、断面円弧状である。従って、凸部６１７の先端部６１７ａは凸曲面であり、凸部６１７は、先端部６１７ａから根元に向かって拡径している。ここで、第１レンズ６１のレンズ面６１２の有効径は、ホルダ８の像側開口部８ｂの最小開口部分８ｃの縁より径方向内側に位置する。また、第２レンズ６２のレンズ面６２１の有効径は、ホルダ８の像側開口部８ｂの最小開口部分８ｃの縁より径方向内側に位置する。従って、凸部６１７の少なくとも一部、および凹部６２７の少なくとも一部は、接合レンズ６０より像側Ｌ２に形成されたホルダ８の像側開口部８ｂにおいて、最も物体側Ｌ１に位置する最小開口部分８ｃの縁より径方向内側に位置する。すなわち、第１レンズ６１の第１境界部分６１３は、レンズ面６１２の有効径より外周側であることから、凸部６１７の少なくとも一部は、像側開口部８ｂの最小開口部分８ｃの縁より径方向内側に位置する。また、第２レンズ６２の第２境界部分６２３は、レンズ面６２１の有効径より外周側であることから、凹部６２７の少なくとも一部は、像側開口部８ｂの最小開口部分８ｃの縁より径方向内側に位置する。
【００３１】
本形態では、第１フランジ面６１６および第２フランジ面６２６のうち、一方側のフランジ面には、凸部６１７および凹部６２７より径方向外側で他方側のフランジ面とは反対側に向けて凹んだ接着剤溜まり部６１８が設けられている。本形態では、第１フランジ面
６１６の側に、凸部６１７および凹部６２７より径方向外側で第２フランジ面６２６とは反対側に向けて凹んだ接着剤溜まり部６１８が設けられている。また、第１フランジ面６１６には、凸部６１７および凹部６２７より径方向外側、かつ、接着剤溜まり部６１８より径方向内側に光軸Ｌに対して交差する平面部６１４が形成されている。また、第１フランジ面６１６および第２フランジ面６２６には、接着剤溜まり部６１８より径方向外側で、光軸Ｌに対して交差する平面６１９、６２９同士が接する当接部６０１が設けられている。
【００３２】
本形態では、第１レンズ６１と第２レンズ６２とを接合する際、例えば、第１レンズ６１のレンズ面６１２の側に接着剤６５を塗布した後、第１レンズ６１と第２レンズ６２とを重ねる。その結果、第１レンズ６１と第２レンズ６２との間で接着剤６５が広がるので、その後、接着剤６５を硬化すれば、第１レンズ６１と第２レンズ６２とを接着剤６５によって接合される。かかる接合工程で、第１レンズ６１と第２レンズ６２との間で接着剤６５が広がる際、接着剤６５は、第１レンズ６１と第２レンズ６２との間から外側に流出しようとするが、接着剤６５は接着剤溜まり部６１８に溜まる。従って、接着剤６５が第１レンズ６１と第２レンズ６２との間から外側に流出する量を少なくすることができるので、第１レンズ６１と第２レンズ６２との間には、接着剤６５の途切れ部分が発生しにくい。また、第１レンズ６１と第２レンズ６２とは、平面６１９、６２９同士が接するので、第１レンズ６１と第２レンズ６２との間隔を適正な寸法に制御することができる。それ故、第１レンズ６１と第２レンズ６２との間には、接着剤６５の途切れ部分が発生しにくい。
【００３３】
また、接合レンズ６０において、レンズ面６１２とレンズ面６２１との間隔をＧａとし、凸部６１７の先端部６１７ａと凹部６２７の底部６２７ａとの間隔をＧｂとし、第１フランジ面６１６において凸部６１７に径方向外側で隣接する部分と第２フランジ面６２６において凹部６２７に径方向外側で隣接する部分との間隔をＧｃとしたとき、間隔Ｇａ、Ｇｂ、Ｇｃは、以下の関係
Ｇａ＜Ｇｂ＜Ｇｃ
を満たしている。本形態において、Ｇａは１０μｍ程度、Ｇｂは２０μｍ程度、Ｇｃは３０μｍ程度である。
【００３４】
従って、図４に示すように、円筒状の第１金型１５０と第１金型１５０の内側に配置される第２金型１６０（入れ子）とを備えた割型で第１レンズ６１の第２レンズ６２側の面を形成する際にバリが発生した場合でも、第１レンズ６１と第２レンズ６２とを適正に接合することができる。すなわち、第１金型１５０と第１金型１５０の割面１７０が第１フランジ面６１６において凸部６１７に径方向外側で隣接する部分に位置する場合には、割面１７０に相当する部分にバリが発生するが、かかるバリは、第１レンズ６１と第２レンズ６２との間隔が広い部分に発生する。それ故、バリが発生しても、第１レンズ６１と第２レンズ６２とを適正に接合することができる。同様に、円筒状の第１金型１５０と第１金型１５０の内側に配置される第２金型１６０（入れ子）とを備えた割型で第２レンズ６２の第１レンズ６１側の面を形成する際にバリが発生した場合でも、第１レンズ６１と第２レンズ６２とを適正に接合することができる。すなわち、第１金型１５０と第１金型１５０の割面１７０が第２フランジ面６２６において凹部６２７に径方向外側で隣接する部分に位置する場合には、割面１７０に相当する部分にバリが発生するが、かかるバリは、第１レンズ６１と第２レンズ６２との間隔が広い部分に発生する。それ故、バリが発生しても、第１レンズ６１と第２レンズ６２とを適正に接合することができる。
【００３５】
（本形態の主な効果）
以上説明したように、本形態の接合レンズ６０において、像側Ｌ２の第２レンズ６２のレンズ面６２１と第２フランジ面６２６との第２境界部分６２３では、第２レンズ６２に
形成された凹部６２７が接着剤６５によって第１レンズ６１に接合されているため、第２レンズ６２のレンズ面６２１と第２フランジ面６２６との境界部分には、光軸Ｌに対して交差する平面部が存在しない。このため、レンズ面６２１の周りで接着剤６５が途切れて空気層が存在している場合にレンズ面６２１の周りに像側Ｌ２から光が入射したときでも、光は凹部６２７が形成されている部分に入射する。このため、レンズ面６２１の周りに像側Ｌ２から光が入射した場合でも、光は凹部６２７によって拡散するように反射するので、特定方向への反射を抑制することができる。従って、接合レンズ６０においてレンズ面の周り（レンズ面６１２およびレンズ面６２１の周り）での反射に起因するゴースト等の発生を抑制することができる。
【００３６】
例えば、接合レンズ６０は、最も像側Ｌ２のレンズ６であるため、図２および図３に示すように、透光性板状部材９で物体側Ｌ１に向けて反射した光が接合レンズ６０のレンズ面６１２、６２１の周りに入射した場合でも、レンズ面６１２、６２１の周りでは拡散するような反射が発生する。従って、接合レンズ６０のレンズ面６１２、６２１の周りでの反射に起因するゴースト等の発生を抑制することができる。従って、凸部６１７および凹部６２７は、接合レンズ６０より像側Ｌ２に形成されたホルダ８の像側開口部８ｂの縁より径方向内側に位置させることができる。それ故、レンズ面６１２、６２１が余裕をもって像側開口部８ｂの内側に位置するので、光の利用効率を高めることができる。
【００３７】
また、物体側Ｌ１の第１レンズ６１において、レンズ面６１２と第１フランジ面６１６との第１境界部分６１３では、第２レンズ６２の凹部６２７に嵌る凸部６１７が形成されており、凸部６１７は、接着剤６５によって凹部６２７に接合されている。このため、第１レンズ６１と第２レンズ６２とを接合する際、第１レンズ６１の第１境界部分６１３や第２レンズ６２の第２境界部分６２３に空気層が残りにくい。従って、接合レンズ６０のレンズ面（レンズ面６１２およびレンズ面６２１の周り）の周りでの反射に起因するゴースト等の発生を抑制することができる。
【００３８】
また、凹部６２７の底部６２７ａは凹曲面であり、凸部６１７の先端部６１７ａは凸曲面であるため、凸部６１７の先端部６１７ａや凹部６２７の底部６２７ａに空気層が存在した場合でも、凸部６１７の先端部６１７ａや凹部６２７の底部６２７ａでは拡散するような反射が発生するので、ゴースト等の発生を抑制することができる。
【００３９】
また、凹状のレンズ面６１２が形成された第１レンズ６１の像側Ｌ２の面に凸部６１７を形成し、凸状のレンズ面６２１が形成された第２レンズ６２の物体側Ｌ１の面に凹部６２７を形成したため、第１レンズ６１の像側Ｌ２の面形状や第２レンズ６２の物体側Ｌ１の面形状を簡素化することができる。それ故、第１レンズ６１および第２レンズ６２を精度よく制作しやすい。
【００４０】
また、第１レンズ６１および第２レンズ６２はいずれも、プラスチックレンズであるため、第１レンズ６１および第２レンズ６２の成形時に凸部６１７や凹部６２７を形成すればよい。従って、ガラスレンズに凸部６１７や凹部６２７を設ける場合と比較して、第１レンズ６１および第２レンズ６２に凸部６１７や凹部６２７を設けやすい。
【００４１】
また、第１フランジ面６１６には、凸部６１７および凹部６２７より径方向外側、かつ、接着剤溜まり部６１８より径方向内側に光軸Ｌに対して交差する平面部６１４が形成されている。従って、接着剤６５が硬化する際、接着剤６５が収縮しても、凸部６１７と凹部６２７との間から接着剤溜まり部６１８に向けて接着剤６５が引き寄せられても、接着剤６５の途切れ部分が発生しにくい。従って、凸部６１７と凹部６２７との間に接着剤６５の途切れ（空気層）が発生しにくいので、レンズ面６１２、６２１の周りに反射界面が発生しにくい。
【００４２】
［他の実施の形態］
上記実施の形態では、第２レンズ６２のレンズ面６２１と第２フランジ面６２６との境界部分（第２境界部分６２３）に凹部６２７を形成したが、凹部６２７に代えて、第１レンズ６１側に突出した凸部を設けてもよい。この場合、第１レンズ６１のレンズ面６１２と第１フランジ面６１６との境界部分（第１境界部分）には、第２レンズ６２の凸部が嵌る凹部を形成し、第２レンズ６２の凸部が接着剤６５によって第１レンズの凹部の内周面に接合されていることが好ましい。その場合も、凸部の先端部および凹部の底部が曲面であることが好ましい。また、第２レンズ６２のレンズ面６２１は、凸部に連続する凹曲面であり、第１レンズ６１のレンズ面６１２は、凹部に連続する凸曲面であることが好ましい。
【００４３】
上記実施の形態において、６群７枚のレンズ構成を示したが、５群６枚等、いずれのレンズ構成のレンズユニットに本発明を適用してもよい。また、上記実施の形態において、接合レンズ６０が１つであったが、複数の接合レンズを備えたレンズユニットに本発明を適用してもよい。
【符号の説明】
【００４４】
１、２、３、４、５、６…レンズ、８…ホルダ、８ａ…物体側開口部、８ｂ…像側開口部、８ｃ…最小開口部分、９…透光性板状部材、１０…レンズユニット、６１２…レンズ面（第１レンズ面）、６２１…レンズ面（第２レンズ面）、６０…接合レンズ、６１…第１レンズ、６２…第２レンズ、６５…接着剤、１００…撮像装置、１１０…撮像素子、１５０…第１金型、１６０…第２金型、１７０…割面、６０１…当接部、６１２…レンズ面（第１レンズ面）、６１３…第１境界部分、６１４…平面部、６１５…第１フランジ部、６１６…第１フランジ面、６１７…凸部、６１７ａ…先端部、６１８…接着剤溜まり部、６１９、６２９…平面、６２１…レンズ面（第２レンズ面）、６２３…第２境界部分、６２５…第２フランジ部、６２６…第２フランジ面、６２７…凹部、６２７ａ…底部、Ｌ…光軸、Ｌ１…物体側、Ｌ２…像側
【図１】
2018097019.tif 000003
【図２】
2018097019.tif 000004
【図３】
2018097019.tif 000005
【図４】
2018097019.tif 000006